(57)【要約】【課題】  複数の居住者が同時に効率的に家事労働を行うことができ、また、衣類などの生活用品が散らかることを抑制できる住宅を提供する。【解決手段】住宅１は、玄関ホール２４に接続される廊下３と、前記廊下３と、リビング・ダイニングルーム４と、を繋ぐ動線であり、少なくとも通路部５１及び衣類収納部５２を有する身支度室５を通る身支度動線Ｌ１と、前記廊下３と、前記リビング・ダイニングルーム４と、を繋ぐ動線であり、少なくともキッチン８を通る炊事動線Ｌ２と、前記廊下３と、前記リビング・ダイニングルーム４と、を繋ぐ動線であり、少なくとも洗面洗濯室７を通る洗濯動線Ｌ３と、を備え、前記身支度動線Ｌ１、前記炊事動線Ｌ２、及び前記洗濯動線Ｌ３は、互いに交差しない並列に配置される。【選択図】図１
2020105869.tif 000002
【特許請求の範囲】
【請求項１】
玄関ホールに接続される廊下と、
前記廊下と、居室と、を繋ぐ動線であり、少なくとも通路部及び衣類収納部を有する身支度室を通る身支度動線と、
前記廊下と、前記居室と、を繋ぐ動線であり、少なくともキッチンを通る炊事動線と、
前記廊下と、前記居室と、を繋ぐ動線であり、少なくとも洗濯室を通る洗濯動線と、
を備え、
前記身支度動線、前記炊事動線、及び前記洗濯動線は、互いに交差しない並列に配置されることを特徴とする住宅。
【請求項２】
前記身支度室は、外壁から離れた位置に配置されることを特徴とする請求項１に記載の住宅。
【請求項３】
前記炊事動線は、前記廊下に接続し、少なくとも食品収納部と冷蔵庫置き場とを有するキッチンクロークを通るとともに、当該キッチンクロークに接続して設けられるキッチンを通る動線であることを特徴とする請求項１又は請求項２に記載の住宅。
【請求項４】
前記洗濯動線は、少なくとも洗面台及び洗濯機置き場に沿って形成される動線であり、前記洗面台から前記洗濯機置き場が視認されないように配置されることを特徴とする請求項１から請求項３のいずれかに記載の住宅。
【請求項５】
前記洗濯動線は、衣類家事室を通ることを特徴とする請求項１から請求項４のいずれかに記載の住宅。
【請求項６】
前記衣類家事室は、カウンタを有することを特徴とする請求項５に記載の住宅。
【請求項７】
前記衣類家事室は外壁に隣接しており、当該外壁に屋内外に出入り可能な掃き出し窓が設けられることを特徴とする請求項５又は請求項６に記載の住宅。
【発明の詳細な説明】
【技術分野】
【０００１】
本発明は、住宅に関する。
【背景技術】
【０００２】
従来より、炊事、洗濯、掃除などの家事労働の効率化に寄与する住宅が望まれている。近年では、共働き世帯の増加によって、日中の在宅時間が短い世帯が増加している社会背景があり、いっそう家事労働の効率化が求められている。
【０００３】
例えば特許文献１に記載の住宅は、廊下の二面が洗面・脱衣室とキッチンとにそれぞれ面するとともに、残りの二面のうち一面が他の居住空間に連絡する廊下に面して設けられており、洗濯室がキッチンと洗面・脱衣室とをつなぐように配置されている。これにより、キッチンと洗面・脱衣室が洗濯室を介してスムーズに連絡可能となるので、洗濯動線と炊事動線とのスムーズな切り替えが可能となり、家事動線の効率化と短縮化を図ることができるという効果が得ることができ、主婦の家事動線の短縮化を図ることができる。
【０００４】
また、例えば特許文献２の住宅は、洗濯機が置かれるための洗濯機区画、前記洗濯機に給水するための給水設備、および前記洗濯機からの排水を受け取るための排水設備を有する水回り領域と、物干し設備を有しリビング領域およびダイニング領域の少なくとも一方に隣接するとともに当該少なくとも一方領域と扉レスで連通可能に構成される乾燥室とを備えた住宅が記載されている。この住宅によると、洗濯動線がリビング又はダイニングに近い位置に配置されることで、居住者はリビングの近くで楽しく家事をこなすことができ、ファミリーの中で家事のシェアを促すことができる。
【先行技術文献】
【特許文献】
【０００５】
【特許文献１】特開２００１−３１１３１６号公報
【特許文献２】特開２０１８−１７８５３６号公報
【発明の概要】
【発明が解決しようとする課題】
【０００６】
近年増加している共働き世帯では、家事に使用できる時間が限られるため、家事労働を家族で分担することが求められる。そして上述の従来の住宅においては、家事に使用する空間を集約することにより、家事動線の短縮化を図るとともに、リビングと家事空間とを隣接させることにより、家族の家事参加を促すものであるが、２人以上の家族が家事に参加した場合、それぞれの家族の動線が絡まって家事労働が非効率なものとなるおそれがある。また、家事動線の最短化のみを考慮すると身支度などの家事以外の生活動線が長くなり、例えばリビングに外出着などの衣類が散在する結果となる。
【０００７】
そこで本発明は、複数の居住者が同時に効率的に家事労働を行うことができ、また、衣類などの生活用品が散らかることを抑制できる住宅を提供することを目的とする。
【課題を解決するための手段】
【０００８】
本発明の住宅は、玄関ホールに接続される廊下と、前記廊下と、居室と、を繋ぐ動線であり、少なくとも通路部及び衣類収納部を有する身支度室を通る身支度動線と、前記廊下と、前記居室と、を繋ぐ動線であり、少なくともキッチンを通る炊事動線と、前記廊下と、前記居室と、を繋ぐ動線であり、少なくとも洗濯室を通る洗濯動線と、を備え、前記身支度動線、前記炊事動線、及び前記洗濯動線は、互いに交差しない並列に配置されることを特徴としている。
【０００９】
本発明の住宅は、前記身支度室は、外壁から離れた位置に配置されることを特徴としている。
【００１０】
本発明の住宅は、前記炊事動線は、前記廊下に接続し、少なくとも食品収納部と冷蔵庫置き場とを有するキッチンクロークを通るとともに、当該キッチンクロークに接続して設けられるキッチンを通る動線であることを特徴としている。
【００１１】
本発明の住宅は、前記洗濯動線は、少なくとも洗面台及び洗濯機置き場に沿って形成される動線であり、前記洗面台から前記洗濯機置き場が視認されないように配置されることを特徴としている。
【００１２】
本発明の住宅は、前記洗濯動線は、衣類家事室を通ることを特徴としている。
【００１３】
本発明の住宅は、前記衣類家事室は、カウンタを有することを特徴としている。
【００１４】
本発明の住宅は、前記衣類家事室は外壁に隣接しており、当該外壁に屋内外に出入り可能な掃き出し窓が設けられることを特徴としている。
【発明の効果】
【００１５】
本発明の住宅によると、身支度動線、炊事動線、及び洗濯動線が玄関ホールに接続される廊下と居室との間に、互いに交差しない並列に配置されているので、例えば炊事と洗濯とを異なる家族が分担する場合にそれぞれの家事動線が交わることがない。したがって、複数人で家事を分担して家事を効率的にこなすことができる。また、これら身支度動線、炊事動線、及び洗濯動線は廊下と居室とにそれぞれ接続されているので、それぞれの動線経路上から居室及び廊下のどちらにも直接アクセスすることができ、例えば、いずれの動線からも玄関、階段、トイレなどの他の場所に向かう場合の移動距離を短くすることができる。さらに、外出時に玄関ホールに向かう動線上、又は帰宅時に居室に向かう動線上に身支度室が配置されており、この身支度室で部屋着から外出着への着替えやかばんの収納などを行うことで、居室に衣類やかばんなどが散在することを抑制できる。
【００１６】
本発明の住宅によると、窓を設ける必要がない身支度室は外壁から離れた位置に配置されているので、外壁に隣接した位置には居室などの他の採光が必要な空間を配置することができ、住宅の採光性を高めることができる。また、身支度室が外壁から離れた位置にあることで、身支度室が玄関ドアから離れた位置に配置されることとなり、身支度室に保管される物品の防犯性を高めるとともに、身支度の際のプライバシーを守ることができる。
【００１７】
本発明の住宅によると、炊事動線が、廊下に接続し、少なくとも食品収納部と冷蔵庫置き場とを有するキッチンクロークを通るとともに、キッチンクロークに接続して設けられるキッチンを通る動線であるので、買い物からの帰宅時に玄関から居室に入ることなく廊下を通ってキッチンクロークに入ることができ、キッチンクロークに食品収納部と冷蔵庫置き場が設けられているので、食材をそれぞれの位置に収納することができる。このようなキッチンクロークが設けられることで、買ってきた食材を居室やキッチンに置くことが抑制される。
【００１８】
本発明の住宅によると、洗濯動線は、少なくとも洗面台及び洗濯機置き場に沿って形成される動線であり、洗面台から洗濯機置き場が視認されないように配置されるので、洗面台を使用する際に洗濯機が視界に入ることがなく、洗面室を生活感を感じにくい優雅な空間とすることができる。
【００１９】
本発明の住宅によると、洗濯動線は、衣類家事室を通るので、洗濯から乾燥までを短い動線で結ぶことができ、洗濯家事を効率化することができる。
【００２０】
本発明の住宅によると、衣類家事室は、カウンタを有するので洗濯・乾燥した衣類をこの衣類家事室で畳むことができる。なお、カウンタにアイロン板を設置するスペースがあれば、衣類家事室でアイロンがけも行うことができる。
【００２１】
本発明の住宅によると、衣類家事室は外壁に隣接しており、外壁に屋内外に出入り可能な掃き出し窓が設けられるので、屋外に物干し竿を設置すれば洗濯動線に隣接して屋外の洗濯物干し場とすることができ、効率的な洗濯動線で、洗濯、屋内乾燥、屋外乾燥、衣類畳みなどの家事を行うことができる。そして、上述の通り、各動線が単なる通路ではなく、身支度、洗濯、衣類家事、炊事家事などの役割を有する室となっているので、効率的に家事を行うことができる。
【図面の簡単な説明】
【００２２】
【図１】本実施形態の住宅１階水平断面図。
【図２】本実施形態の身支度動線及び炊事動線を説明する一部省略拡大断面図。
【図３】本実施形態の身支度室の構成を説明する斜視図。
【図４】本実施形態の洗濯動線を説明する一部省略拡大断面図。
【図５】実施形態の変形例の洗濯動線を説明する一部省略拡大断面図。
【図６】実施形態の別の変形例の洗面洗濯室を説明する一部省略拡大断面図。
【図７】本実施形態の衣類家事室の構成を説明する斜視図。
【図８】本実施形態の屋外洗濯物干し場の構成を説明する鉛直断面図。
【発明を実施するための形態】
【００２３】
以下、本発明の実施形態の住宅１の実施形態について各図を参照しつつ説明する。本実施形態における住宅１は戸建て住宅であるが、住宅１は例えば共同住宅であってもよい。住宅１は２階建ての住宅１であり、例えば共働き世帯が居住することを想定している。なお、本実施形態においては、発明を構成する身支度動線Ｌ１、炊事動線Ｌ２、及び洗濯動線Ｌ３はいずれも１階に配置される動線である。２階の間取りは本発明の構成に関連しないので、２階以上の階層の具体的な説明は省略する。なお、例えば本発明の住宅１は、２階以上の階層に身支度動線Ｌ１、炊事動線Ｌ２、及び洗濯動線Ｌ３を設ける構成であってもよい。
【００２４】
住宅１は、西側に接道する敷地に建設されており、図１に示すように、北西角に玄関ドア２０が設けられた外壁に隣接する玄関土間２１が形成され、玄関土間２１に隣接して南側に土間収納２２が配置されている。玄関土間２１の東側には、当該玄関土間２１に上がり框２３を挟んで隣接する玄関ホール２４を備えている。そして、玄関土間２１及び玄関ホール２４に跨るように北側の外壁に沿って下駄箱２５が配置されている。玄関ホール２４は東側が廊下３に接続されるとともに、南側が引き込み戸２６を挟んでリビング・ダイニングルーム４に接続している。
【００２５】
リビング・ダイニングルーム４は、住宅１の南西側に配置されている。リビング・ダイニングルーム４には、例えば旅行の予約や年賀状の作成などのパソコンを用いて行うデジタル家事に利用するデジタル家事空間４１と、テレビ４４やソファー４５が配置されて居住者が寛ぐリビング空間４２と、後述するキッチンに接しており、ダイニングテーブル４６が配置されて食事を行うダイニング空間４３とが、間仕切り壁のない１つの空間として配置されている。デジタル家事空間４１は、例えばパソコン机４７によってリビング空間４２と区分けされており、パソコン机４７に隣接して椅子が設けられ、パソコン机４７の上に図示しないプリンタとパソコンとが設置されていればよい。なお、デジタル家事空間４１はこれに限定されるものではなく、居住者の好みに応じて趣味空間や書斎空間として利用しても良い。デジタル家事空間４１の背後にはリビング収納部４８が形成されており、リビング・ダイニングルーム４で使用する掃除道具などが収納されている。
【００２６】
本実施形態におけるリビング・ダイニングルーム４は、本発明における「居室」に相当する。なお、本発明における「居室」はこれに限定されるものではなく、例えばデジタル家事空間４１が設けられていなくてもよく、又は、リビングルームとダイニングルームとが空間的に間仕切られていても良い。なお、本実施形態におけるリビング・ダイニングルーム４とキッチン８とは、互いに間仕切られていない一体の空間ととなっている。
【００２７】
廊下３は、玄関ホール２４に接続されて、住宅１の奥行き方向に延びており、階段下収納３１、階段３２、及びトイレ室３３に接続されている。また、廊下３は、身支度室５、キッチンクローク６、及び洗面洗濯室７にも接続される。
【００２８】
身支度室５は、図２及び図３に示すように、居住者が通行可能な通路部５１と、居住者が日常的に着替える衣類を保管可能な衣類収納部５２と、を有している。身支度室５と廊下３との境界及び身支度室５とリビング・ダイニングルーム４との境界にはそれぞれ間仕切りの引き込み戸５３，５４が設けられている。通路部５１は例えば１ｍ幅の通路であり、廊下３とリビング・ダイニングルーム４とを繋ぐ通路として利用される他、外出時の身支度や帰宅時の着替えを行うことができる。また、衣類収納部５２は、通路部５１を挟んで両側に配置されている。衣類収納部５２は、ハンガーを掛けるハンガーバー５５と、衣類やかばんなどを保管可能な収納棚５６とを有している。衣類収納部５２には外出時に身に付ける小物類、財布、鍵なども保管可能に形成されていても良い。また、身支度室５の衣類収納部５２の一部に扉５７を形成し、当該扉５７に全身ミラー５８を固定しておけば、身支度の際に全身ミラー５８でチェックすることができる。なお、身支度室５はリビング・ダイニングルーム４に隣接しているので、リビング・ダイニングルーム４に近い収納棚５６の一部には、リビング・ダイニングルーム４の用品を収納しておくこともできる。
【００２９】
図１に示すように、廊下３から身支度室５を通ってリビング・ダイニングルーム４に入る動線が身支度動線Ｌ１である。このように身支度動線Ｌ１は、玄関ホール２４に接続された廊下３とリビング・ダイニングルーム４とを繋ぐ動線であり、その動線上に身支度室５が設けられることで、外出時には、リビング・ダイニングルーム４から身支度室５を経て廊下３に入り、玄関ホール２４に行くことができ、帰宅時には、玄関ホール２４及び廊下３を通って身支度室５を経てリビング・ダイニングルーム４に入ることができるので、外出時の動線及び帰宅時の動線上に身支度室５を配置することができる。したがって、外出時には身支度室５で、部屋着から外出着に着替え、かばんや小物類を身に付けるとともに財布や鍵を持って外出することができる。このとき、脱衣した部屋着等は身支度室５の衣類収納部５２に保管することができ、リビング・ダイニングルーム４に衣類などを散在させることを抑制できる。また、帰宅時には身支度室５で、外出着から部屋着に着替え、かばんや小物類、財布や鍵などを身支度室５の衣類収納部５２の所定位置に保管してからリビング・ダイニングルーム４に入ることができ、外出着やかばんなどの散在も抑制することができる。
【００３０】
キッチンクローク６は、図２に示すように、居住者が通行可能な通路部６１と、通路部６１の一方の側面に形成された食品収納部６２と、食品収納部６２と並んで設けられている冷蔵庫置き場６３と、通路部６１の他方の側面に形成された調理家電収納部６４とを備えている。キッチンクローク６は一方が廊下３に接続され、他方がキッチン８に接続されている。キッチンクローク６と廊下３との境界には引き込み戸６５が形成されている。食品収納部６２は図示しないが複数の棚又は引き出しが設けられており、常温保存される食材などが収納されている。また、食品収納部６２に隣接して配置される冷蔵庫置き場６３は、図示しないが冷蔵庫用の電源コンセントが配置されている。調理家電収納部６４には、ミキサーやホットプレートなどの日常的に使用するものではない調理家電が収納されている。なお、キッチンクローク６には、日常的に使用される例えばレンジなどの調理家電を設置してもよく、また、ゴミ箱などのキッチン小物を収納してもよい。
【００３１】
このようにキッチンクローク６が、玄関ホール２４に接続される廊下３と接続していることで、買い物からの帰宅時に玄関ホール２４からリビング・ダイニングルーム４に入ることなく廊下３を通ってキッチンクローク６に入ることができ、キッチンクローク６設けられている食品収納部６２及び冷蔵庫に食材を収納することができる。したがって、持ち帰った食材等をリビング・ダイニングルーム４やキッチン８に一時置きすることが抑制され、常に片付いた状態を維持できる。
【００３２】
キッチンクローク６に接続されるキッチン８は、キッチンクローク６の通路部６１と連続する通路部８１が形成されるとともに、通路部８１の一方にガスコンロまたはＩＨクッキングヒータ８２と、調理台８３と、シンク８４とを備えるシステムキッチン８５が形成される。また、キッチン８は、通路部８１の他方に食器棚８６が配置される。キッチンクローク６とキッチン８との境界は通路部６１，８１が通過可能に形成されるとともに、通路部６１，８１を挟んで両側に壁体８９がせり出して形成されており、この壁体８９に妨げられてリビング・ダイニングルーム４からキッチンクローク６がほとんど視認できないように配置されている。キッチン８は、システムキッチン８５側がリビング・ダイニングルーム４のダイニング空間４３に隣接しており、システムキッチン８５の上がダイニング空間４３と連通している。システムキッチン８５のダイニング空間４３に隣接する縁は、図示しないが、システムキッチン８５の天板よりも２０から３０ｃｍほど高くなった壁部８７が形成されており、調理台８３に載置された食材等がダイニング空間４３側に落ちることを防止できるとともに、システムキッチン８５の上をリビング・ダイニングルーム４側から隠している。キッチン８のキッチンクローク６と反対側の端部にはダイニング空間４３に繋がるキッチン横通路８８が形成されている。
【００３３】
図１に示すように、廊下３からキッチンクローク６及びキッチン８を通ってリビング・ダイニングルーム４に入る動線が炊事動線Ｌ２である。炊事動線Ｌ２が廊下３とリビング・ダイニングルーム４とにそれぞれ接続されることで、キッチンクローク６又はキッチン８から廊下３側にもリビング・ダイニングルーム４側にも直接アクセスすることができるので、炊事家事を行いながら他の場所に用事がある場合にも直接廊下３から移動することができる。すなわち、キッチン８又はキッチンクローク６に居る場合に、玄関ホール２４、トイレ室３３、バスルーム１０、又は、洗面洗濯室７などに用事がある場合には、廊下３側に向かうことでリビング・ダイニングルーム４を介さない直接的な動線で移動することができ、衣類家事室９やリビング・ダイニングルーム４に用事がある場合には、リビング・ダイニングルーム４側に向かうことで直接的な動線で移動することができる。
【００３４】
洗面洗濯室７は、図１及び図４に示すように、廊下３の東端の突き当たりに配置されており、廊下３と洗面洗濯室７との境界には、開き戸７０が設けられている。洗面洗濯室７の北側にはバスルーム１０が配置されており、洗面洗濯室７は脱衣室を兼ねている。洗面洗濯室７には、洗面台７１と洗濯機置き場７２が配置されている。洗面台７１は一方の側端が間仕切壁７３に当接するとともに、他端が袖壁７４に当接している。このように洗面台７１の両側端がそれぞれ壁７３，７４に当接することで、洗面台７１の使用者に洗面専用の空間である印象を持たせることができる。洗濯機置き場７２は袖壁７４を挟んで、洗面台７１の反対側に設けられている。洗濯機置き場７２は図示しないが洗濯機に水を供給する給水装置と、洗濯機の水を排水する排水装置と、洗濯機に電源を供給するコンセントとを備えている。洗面台７１の前に立った居住者は袖壁７４が視線を遮って、洗濯機置き場７２を視認することができない。本実施形態においては袖壁７４が洗面台７１から洗濯機置き場７２が視認されないように視線を遮る「遮蔽構造物」となっているが、このような遮蔽構造物は、洗面台７１の前に立った居住者の視線から洗濯機が完全に視認できなくなるものに限定されるものではない。袖壁７４は少なくとも洗面台７１の手前側の縁まで突出していればよく、洗濯機は袖壁７４の突出した端部よりも奥に載置されていれば良い。なお、本実施形態においては洗面洗濯室７が本発明における「洗濯室」に相当する。
【００３５】
なお、洗面台７１及び洗濯機置き場７２の配置は、これに限定されるものではない。本実施形態においては洗面洗濯室７は間仕切られない１つの空間であるが、本発明の実施形態の変形例としては、図５に示すように、洗面台７１と洗濯機置き場７２との間に間仕切壁７５及び引き戸７６を設けて、洗面室７ａと洗濯室７ｂを分離して構成してもよい。このように洗濯機置き場７２を洗面室７ａとは別室に配置すると、洗面室を生活感を感じさせにくい優雅な空間とすることができる。なお、この変形例においては間仕切壁７５及び引き戸７６が、洗面台７１から洗濯機置き場７２が視認されないように視線を遮る「遮蔽構造物」であり、洗濯室７ｂが、本発明における「洗濯室」に相当する。
【００３６】
また、別の変形例としては、図６に示すように、洗面台７１の背面に隣接させてバスルーム１０を配置するとともに、バスルーム１０によって隔てられた位置に洗濯機置き場７２を配置することで、洗面台７１の前に立った居住者の視線から洗濯機置き場７２を視認できないように配置してもよい。この別の変形例においてはバスルーム１０が、洗面台７１から洗濯機置き場７２が視認されないように視線を遮る「遮蔽構造物」に相当する。
【００３７】
洗面洗濯室７の南側には衣類家事室９が設けられる。衣類家事室９は、図１に示すように、住宅１の南東角に配置されている。図４及び図７に示すように、衣類家事室９と洗面洗濯室７との境界には片引き戸９０が設けられている。衣類家事室９は、物干し竿を吊り下げるリング状に形成された屋内竿掛け部９０が天井から吊り下げられており、脱水後の洗濯物を吊り下げることができる。また、衣類家事室９にはカウンタ９２が設けられている。カウンタ９２は少なくとも洗濯物を畳むことができる奥行き及び幅を有する水平な板状である。カウンタ９２は例えば平型のアイロン台を載置できる大きさであることが好ましい。このように構成すれば衣類家事室９で洗濯物の乾燥、アイロン、及び折り畳みを行うことができる。衣類家事室９は、リビング・ダイニングルーム４に接続されるキッチン横通路８８に接続される。衣類家事室９とキッチン横通路８８との間には、引き込み戸９３が形成されている。なお、衣類家事室９の構成は上述のものに限定されるものではない。本発明の衣類家事室９は、少なくとも濡れた洗濯物を干すことができる空間であればよい。
【００３８】
図１に示すように、廊下３から洗面洗濯室７及び衣類家事室９を通って、リビング・ダイニングルーム４に入る動線が洗濯動線Ｌ３である。このように洗濯動線Ｌ３は、洗面洗濯室７と衣類家事室９とを通るので、洗濯、乾燥、アイロン、折り畳みを短い動線で結ぶことができ、洗濯家事を効率化することができる。したがって、濡れた重い洗濯物を運ぶ距離を短くすることができる。
【００３９】
図４及び図８に示すように、衣類家事室９の南側の外壁には屋外に出入り可能な掃き出し窓９４が形成されている。掃き出し窓９４の屋外側には１階の床高さと同じ高さのテラス床９５が形成されている。掃き出し窓９４の屋外側の上方には片持ちのバルコニー９６が張り出している。掃き出し窓９４とバルコニー９６との間の外壁には複数の挿入孔９７が設けられた屋外竿掛け部９８が突出して形成されており、物干し竿９９を挿入孔９７に通して架け渡し、ハンガーに吊るした洗濯物を屋外に干すことができる。このバルコニー９６とテラス床９５との間の空間が屋外洗濯物干し場１１である。本実施形態においては２階にバルコニー９６が設けられており、バルコニー９６の下に物干し竿９９を架け渡すことで急な雨に濡れない構成としたが、軒やフラットルーフなどのバルコニー９６以外の構成がテラス床９５の上方に設けられる構成であってもよく、又は、２階以上に屋内空間を配したピロティであってもよい。なお、本実施形態においては外壁から屋外竿掛け部９８が突出する構成としたが、これに限られず、例えばテラス床９５に物干スタンドを載置してもよい。
【００４０】
このように衣類家事室９から掃き出し窓９４を挟んで屋外側を屋外洗濯物干し場１１とすることで、天候や洗濯物の種類に応じて、屋内外の都合のよいほうに洗濯物を干すことができる。
【００４１】
以上のように、本発明の住宅１によると、身支度動線Ｌ１、炊事動線Ｌ２、及び洗濯動線Ｌ３が玄関ホール２４に接続される廊下３とリビング・ダイニングルーム４との間にもうけられており、これらの動線Ｌ１，Ｌ２，Ｌ３は互いに交差しない並列に配置されている。したがって、例えば炊事と洗濯とを異なる家族が分担する場合にそれぞれの家事動線が交わることがなく、複数人で家事を効率的に分担することができる。また、それぞれの動線が廊下３及びリビング・ダイニングルーム４に接続されていることで、各動線間の移動や各動線から住宅１の各部への移動距離を短くすることができる。
【００４２】
本発明の実施の形態は上述の形態に限ることなく、本発明の思想の範囲を逸脱しない範囲で適宜変更することができることは云うまでもない。例えば、本実施形態においては、東側から順に洗濯動線Ｌ３、炊事動線Ｌ２、身支度動線Ｌ１が並列に並べて配置されているが、これらの動線の配置順はこれに限定されるものではなく、配置順が東西反転していてもよい。また、例えば洗濯動線Ｌ３、炊事動線Ｌ２、身支度動線Ｌ１は互いに隣接するように配置されているが、いずれかの動線が、リビング・ダイニングルーム４を挟んで反対側に配置されていても良い。
【産業上の利用可能性】
【００４３】
本発明に係る住宅１は、例えば共働き世帯が住まう戸建て住宅として好適である。
【符号の説明】
【００４４】
１      住宅
３      廊下
４      リビング・ダイニングルーム（居室）
５      身支度室
６      キッチンクローク
７      洗面洗濯室
８      キッチン
９      衣類家事室
２４    玄関ホール
５１    通路部
５２    衣類収納部
６２    食品収納部
６３    冷蔵庫置き場
７１    洗濯台
７２    洗濯機置き場
７４    袖壁（遮蔽構造物）
９２    カウンタ
９４    掃き出し窓
【図１】
2020105869.tif 000003
【図２】
2020105869.tif 000004
【図３】
2020105869.tif 000005
【図４】
2020105869.tif 000006
【図５】
2020105869.tif 000007
【図６】
2020105869.tif 000008
【図７】
2020105869.tif 000009
【図８】
2020105869.tif 000010